(57)【特許請求の範囲】
【請求項１】
取付面に取り付けられる器具本体と、
ＬＥＤを有し、前記器具本体に取り付けられる一対の直管型ＬＥＤランプと、
前記直管型ＬＥＤランプの上方に配置され、前記取付面に対して傾斜する反射面とを備え、
前記直管型ＬＥＤランプの前記ＬＥＤは、前記反射面に対して直交する方向に光軸が配置され、
前記反射面は、最下端位置と最上端位置とを、前記直管型ＬＥＤランプの前記ＬＥＤからの直射光の範囲内に配置する照明器具。
【請求項２】
請求項１に記載の照明器具において、
前記直管型ＬＥＤランプの前記ＬＥＤの最下端位置が、前記反射面の最下端位置より突出されない照明器具。
【発明の詳細な説明】
【技術分野】
【０００１】
本発明は、ＬＥＤを有する直管型ＬＥＤランプを光源として取付面に設置される照明器具に関する。
【背景技術】
【０００２】
従来より、長手方向の両端部に配置されたランプソケットに直管型の蛍光灯を取り付けた照明器具が知られている（例えば、特許文献１参照）。
特許文献１に記載の照明器具は、直管型の蛍光灯から光が放射状に出射されることにより、被照射対象である床面側を照射できる。
【先行技術文献】
【特許文献】
【０００３】
【特許文献１】特開２００７−２１３９６８号公報（図１、請求項１）
【発明の概要】
【発明が解決しようとする課題】
【０００４】
図６に示すように、特許文献１に記載された照明器具１００は、取付面１に対して傾斜した反射板１０１を備えており、蛍光灯１０２が電気的に接続されるソケット１０３が、取付面１に対して直角に取り付けられている。
そのため、特許文献１に記載された照明器具１００は、蛍光灯１０２から放射状に出射される光が反射板１０１により反射されて、被照射対象である床面側に向けて大きな光量で照射できる。
ところで、近年のＬＥＤ技術の発展に伴い、省エネ等の観点からＬＥＤを内蔵した直管型ＬＥＤランプを装備する照明器具が提案されている。ＬＥＤは、その構造上、光の指向性が高いために、主に直射光を出射する。
図７に示すように、このような直管型ＬＥＤランプを装備する従来の照明器具１１０は、取付面１に対して傾斜した反射板１１１を備えており、ソケット１１２に電気的に接続される直管型ＬＥＤランプ１１３の被照射対象に向けた照射範囲が全周に対して１／２ないし２／３である。
しかし、このような従来の照明器具１１０は、ＬＥＤ１１４の光軸Ａ１１０が取付面１に対して直交されているために、ＬＥＤ１１４が実装されたＬＥＤ基板１１５が反射板１１１に対して平行に配置されない。
従って、このような従来の照明器具１１０は、反射板１１１に向かう光が少なくなって側方への光の広がりを取得できない。
【０００５】
本発明は、前述した課題を解決するためになされたものであり、その目的は、側方への広がりを取得できる照明器具を提供することにある。
【課題を解決するための手段】
【０００６】
本発明に係る照明器具は、取付面に取り付けられる器具本体と、ＬＥＤを有し、前記器具本体に取り付けられる一対の直管型ＬＥＤランプと、前記直管型ＬＥＤランプの上方に配置され、前記取付面に対して傾斜する反射面とを備え、前記直管型ＬＥＤランプの前記ＬＥＤは、前記反射面に対して直交する方向に光軸が配置され、前記反射面は、最下端位置と最上端位置とを、前記直管型ＬＥＤランプの前記ＬＥＤからの直射光の範囲内に配置する。
【０００７】
本発明に係る照明器具は、前記直管型ＬＥＤランプの前記ＬＥＤの最下端位置が、前記反射面の最下端位置より突出されない。
【発明の効果】
【０００９】
本発明に係る照明器具によれば、側方への広がりを取得できるという効果を奏する。
【図面の簡単な説明】
【００１０】
【図１】本発明に係る第１実施形態の照明器具の斜め下方から視た外観斜視図
【図２】本発明に係る第１実施形態の照明器具の斜め下方から視た分解斜視図
【図３】本発明に係る第１実施形態の照明器具の一部破断底面図
【図４】本発明に係る第１実施形態の照明器具の垂直断面図
【図５】本発明に係る第２実施形態の照明器具の垂直断面図
【図６】従来の照明器具の垂直断面図
【図７】図６とは異なる従来の照明器具の垂直断面図
【発明を実施するための形態】
【００１１】
以下、本発明に係る複数の実施形態の照明器具について図面を参照して説明する。
（第１実施形態）
図１に示すように、本発明に係る第１実施形態の照明器具１０は、器具本体１１と、器具本体１１の一端部に取り付けられた一対の給電側ソケット１２と、器具本体１１の他端部に取り付けられた一対のアース側ソケット１３と、一対の給電側ソケット１２と一対のアース側ソケット１３とに電気的に接続されて機械的に取り付けられる一対の直管型ＬＥＤランプ１４と、直管型ＬＥＤランプ１４の上方に配置される反射板１５とを備えて取付面１に設置されるベースライトである。
【００１２】
図２および図３に示すように、器具本体１１は、厚みの薄い金属製板部材を折曲して成形されており、下面に電源端子台１６と電源ブロック１７とが取り付けられている。
器具本体１１には、一端部に一方のブラケット１８を介して一対の給電側ソケット１２が取り付けられており、一端部と同様にして、他端部に他方のブラケット１８を介して一対のアース側ソケット１３が取り付けられている。
【００１３】
直管型ＬＥＤランプ１４は、断面がほぼ円形状のガラス管１９内に、複数のＬＥＤ２０を器具本体１１の長手方向に実装させたＬＥＤ基板２１を有するＬＥＤユニット２２が内蔵されている。直管型ＬＥＤランプ１４は、ガラス管１９の一端部に一対の給電側端子２３を有し、ガラス管１９の他端部に単一のアース側端子２４を有する。
【００１４】
器具本体１１は、中央部に電源端子台１６が取り付けられており、電源端子台１６の給電側ソケット１２側に電源ブロック１７が取り付けられている。電源端子台１６は、取付面１側の外部回路から引き込まれた外部配線２に接続されるとともに、電源ブロック１７に接続される。電源ブロック１７は取付面１側の外部回路から引き込まれたアース線３に接続される。
【００１５】
電源ブロック１７は給電側ソケット１２に接続されており、アース側ソケット１３は器具本体１１等の接地に接続される。そのため、直管型ＬＥＤランプ１４に有する給電側端子２３が給電側ソケット１２に接続されるとともに直管型ＬＥＤランプ１４に有するアース側端子２４がアース側ソケット１３に接続されることによりＬＥＤ基板２１に有する不図示のプリント回路に直流電流が供給されてＬＥＤ２０が発光する。
器具本体１１は、電源端子台１６と電源ブロック１７との長手方向の外側に、一対のボルト孔２５と、一対のボルト孔２５の外側に配置された一対の木ねじ孔２６とを有する。ボルト孔２５には、取付面１に設置されているボルト４が挿通されてから、器具本体１１の下面に置いてボルト４に座金５が外挿される。そして、ボルト４にナット６がねじ込まれることにより器具本体１１が取付面１に取り付けられる。
【００１６】
反射板１５は、器具本体１１と同様にして厚みの薄い金属製板部材により成形されており、器具本体１１の外側を覆うようにして床面側から視て逆山形状の断面形状を有する。反射板１５は、一対の給電側ソケット１２および一対のアース側ソケット１３に対応して傾斜する一対の傾斜反射面２７を有する。
【００１７】
図４に示すように、一対の給電側ソケット１２および一対のアース側ソケット１３は、一対の傾斜反射面２７に直交して配置されている。そのため、一対の給電側ソケット１２および一対のアース側ソケット１３に取り付けられる一対の直管型ＬＥＤランプ１４のＬＥＤ２０の光軸Ａ１が反射板１５の傾斜反射面２７に対して直交して配置される。
従って、直管型ＬＥＤランプ１４の点灯時に、直管型ＬＥＤランプ１４のＬＥＤ２０から上方へ出射される光が傾斜反射面２７により反射されて側方へ進行されるために、広がりのある配光を制御できる。
なお、反射板１５は、器具本体１１の外側を覆うようにして床面側から視て逆谷形状の断面形状を有してもよい、もちろん、その場合も一対の給電側ソケット１２および一対のアース側ソケット１３に対応して傾斜する一対の傾斜反射面を有する。
【００１８】
反射板１５は、傾斜反射面２７の最下端位置Ｂ１から最上端位置Ｂ２までの範囲が、直管型ＬＥＤランプ１４のＬＥＤ２０からの直射光の範囲内に設定されている。
従って、直管型ＬＥＤランプ１４の点灯時に、直管型ＬＥＤランプ１４のＬＥＤ２０からの直射光が傾斜反射面２７の最下端位置Ｂ１と最上端位置Ｂ２との間の範囲において反射するために、ＬＥＤ２０からの直射光を有効に活用して側方への広がりのある効率のよい配光を制御できる。
【００１９】
ここで、反射板１５において、傾斜反射面２７に直交して配置される給電側ソケット１２およびアース側ソケット１３に取り付けられる直管型ＬＥＤランプ１４のＬＥＤ２０が取付面１から最下端位置Ｃ１まで有する長さ寸法Ｌ１は、傾斜反射面２７の最下端位置Ｂ１が取付面１から突出する長さ寸法Ｌ２よりも小さく設定されているために、ＬＥＤ２０が傾斜反射面２７から下方に向けて突出されない位置に配置されている。
従って、直管型ＬＥＤランプ１４の点灯時に、一方の直管型ＬＥＤランプ１４のＬＥＤ２０から側方へ出射される光が、傾斜反射面２７の最下端位置Ｂ１を超えて他方の直管型ＬＥＤランプ１４に向けて出射されないために、光量の無駄をなくして効率を向上できる。
【００２０】
以上、説明したように第１実施形態の照明器具１０によれば、直管型ＬＥＤランプ１４のＬＥＤ２０が、傾斜反射面２７に対して直交する方向に光軸Ａ１が配置されるために、直管型ＬＥＤランプ１４の点灯時に、直管型ＬＥＤランプ１４のＬＥＤ２０から上方へ出射される光が傾斜反射面２７により反射されて側方へ向けて出射されることにより、広がりのある配光を制御できる。
【００２１】
また、第１実施形態の照明器具１０によれば、直管型ＬＥＤランプ１４のＬＥＤ２０が傾斜反射面２７から下方に向けて突出されない位置に配置されているために、直管型ＬＥＤランプ１４の点灯時に、一方の直管型ＬＥＤランプ１４のＬＥＤ２０から側方へ出射される光が、傾斜反射面２７の最下端位置Ｂ１を超えて他方の直管型ＬＥＤランプ１４に向けて出射されないことにより、光量の無駄をなくして効率を向上できる。
【００２２】
そして、第１実施形態の照明器具１０によれば、反射板１５において傾斜反射面２７の最下端位置Ｂ１から最上端位置Ｂ２までの範囲が直管型ＬＥＤランプ１４のＬＥＤ２０からの直射光の範囲内に設定されているために、直管型ＬＥＤランプ１４の点灯時に、直管型ＬＥＤランプ１４のＬＥＤ２０からの直射光が傾斜反射面２７の最下端位置Ｂ１と最上端位置Ｂ２との間の範囲において反射することにより、ＬＥＤ２０からの直射光を有効に活用して側方への広がりのある効率のよい配光を制御できる。
【００２３】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００２４】
図５に示すように、本発明に係る第２実施形態の照明器具５０は、一対の直管型ＬＥＤランプ１４が取り付けられた際に、ＬＥＤ基板２１の向きを傾斜反射面２７に対して平行に設定可能な一対の給電側ソケット５１を有する。具体的には、直管型ＬＥＤランプ１４において、一対に並列された給電側端子２３に平行にＬＥＤ基板２１が配置されている。そして、給電側ソケット５１に内蔵されて給電側端子２３に電気的に接続される不図示の給電側端子受が傾斜反射面２７に対して平行に配置される。これにより、直管型ＬＥＤランプ１４が給電側ソケット５１に取り付けられることにより、直管型ＬＥＤランプ１４のＬＥＤ基板２１が傾斜反射面２７に対して平行に設定できる。
【００２５】
第２実施形態の照明器具５０によれば、給電側ソケット５１により、直管型ＬＥＤランプ１４のＬＥＤ２０が、傾斜反射面２７に対して直交する方向に光軸Ａ１が配置されるために、直管型ＬＥＤランプ１４の点灯時に、直管型ＬＥＤランプ１４のＬＥＤ２０から上方へ出射される光が傾斜反射面２７により反射されて側方へ向けて出射されることにより、広がりのある配光を制御できる。
【００２６】
なお、本発明の照明器具においてＬＥＤ，ＬＥＤ基板，ＬＥＤユニット等は、前述した各実施形態に限定されるものでなく、適宜な変形や改良等が可能である。
【符号の説明】
【００２７】
１  取付面
１０，５０  照明器具
１１  器具本体
１４  直管型ＬＥＤランプ
２０  ＬＥＤ
２７  傾斜反射面（反射面）
【図１】
0005623245.tif 000002
【図２】
0005623245.tif 000003
【図３】
0005623245.tif 000004
【図４】
0005623245.tif 000005
【図５】
0005623245.tif 000006
【図６】
0005623245.tif 000007
【図７】
0005623245.tif 000008